(57)【要約】【課題】低コストで、接続機器の総数を求めることができる表示装置を提供する。【解決手段】縦続に接続される複数の表示装置のうちの初段に接続される表示装置であって、第１の映像処理部１０１と、映像出力部１０２と、第２の映像処理部１０３と、計数部１０４とを備える。第１の映像処理部１０１は、入力された第１の映像信号に表示パターンを追加する。映像出力部１０２は、第１の映像処理部１０１からの映像信号を次段に接続される表示装置に出力する。第２の映像処理部１０３は、終段に接続された表示装置から出力される映像信号を第２の映像信号として入力する。計数部１０４は、第２の映像信号中に含まれる表示パターンに基づいて接続された表示装置の台数を求める。【選択図】  図５
2020079913.tif 000002
【特許請求の範囲】
【請求項１】
縦続に接続される複数の表示装置のうちの初段に接続される表示装置であって、
入力された第１の映像信号に表示パターンを追加する第１の映像処理部と、
前記第１の映像処理部からの映像信号を次段に接続される表示装置に出力する映像出力部と、
終段に接続された表示装置から出力される映像信号を第２の映像信号として入力する第２の映像処理部と、
前記第２の映像信号中に含まれる表示パターンに基づいて、接続された表示装置の台数を求める計数部と、
を備える表示装置。
【請求項２】
縦続に接続される複数の表示装置のうち各表示装置間又は終段に接続される表示装置であって、
前段の表示装置からの映像信号を入力し、前記映像信号に表示パターンを追加する映像処理部と、
前記映像処理部からの映像信号を次段又は初段に接続される表示装置に出力する映像出力部と、
を備える表示装置。
【請求項３】
前記映像処理部は、前記映像信号中に既に表示パターンが含まれていたら、当該既に含まれている表示パターンと異なる位置に、新たな表示パターンを追加する請求項２に記載の表示装置。
【請求項４】
縦続に接続される複数の表示装置からなるマルチディスプレイシステムであって、
前記複数の表示装置は、入力された第１の映像信号に表示パターンを追加する第１の映像処理部と、前記第１の映像処理部からの映像信号を次段の表示装置に出力する映像出力部と、終段に接続された表示装置から出力される映像信号を第２の映像信号として入力する第２の映像処理部と、前記第２の映像信号中に含まれる表示パターンに基づいて接続された表示装置の台数を求める計数部とを備えるように構成されており、
前記表示装置のうちの初段に接続される表示装置は、入力された第１の映像信号に表示パターンを追加して次段の表示装置に出力するとともに、終段に接続された表示装置から出力される映像信号を第２の映像信号として入力し、前記第２の映像信号中に含まれる表示パターンに基づいて接続された表示装置の台数を求め、
前記表示装置のうちの各表示装置間に接続される表示装置は、前段の表示装置からの映像信号を入力し、前記映像信号に表示パターンを追加し、次段の表示装置に出力し、
前記表示装置のうちの終段に接続される表示装置は、前段の表示装置からの映像信号を入力し、前記映像信号に表示パターンを追加し、前記初段に接続される表示装置に出力する
マルチディスプレイシステム。
【請求項５】
縦続に接続される複数の表示装置のうちの初段に接続される表示装置の映像信号処理方法であって、
第１の映像信号を入力する工程と、
前記第１の映像信号に表示パターンを追加し、前記表示パターンを追加した映像信号を次段に接続される表示装置に出力する工程と、
終段に接続された表示装置から出力される映像信号を第２の映像信号として入力する工程と、
前記第２の映像信号中に含まれる表示パターンに基づいて接続された表示装置の台数を求める工程と
を含む表示装置の映像信号処理方法。
【請求項６】
縦続に接続される複数の表示装置のうち各表示装置間又は終段に接続される表示装置の映像信号処理方法であって、
前段の表示装置からの映像信号を入力する工程と、
前記映像信号に表示パターンを追加し、前記表示パターンを追加した映像信号を次段又は終段に接続される表示装置に出力する工程と、
を含む表示装置の映像信号処理方法。
【請求項７】
縦続に接続される複数の表示装置からなるマルチディスプレイシステムの映像信号処理方法であって、
前記表示装置のうちの初段に接続された表示装置が、映像信号を入力し、前記映像信号に表示パターンを追加し、前記表示パターンを追加した映像信号を次段に接続される表示装置に出力する工程と、
前記表示装置のうちの表示装置間に接続される表示装置が、前段の表示装置からの映像信号を入力し、前記映像信号に表示パターンを追加し、前記表示パターンを追加した映像信号を次段に接続される表示装置に出力する工程と、
前記表示装置のうちの終段に接続された表示装置が、前段の表示装置からの映像信号を入力し、前記映像信号に表示パターンを追加し、前記表示パターンを追加した映像信号を、前記表示装置のうちの初段に接続された表示装置に出力する工程と、
前記表示装置のうちの初段に接続された表示装置が、前記終段に接続された表示装置から出力される映像信号を第２の映像信号として入力し、前記第２の映像信号中に含まれる表示パターンに基づいて接続された表示装置の台数を求める工程と
を含むマルチディスプレイシステムの映像信号処理方法。
【発明の詳細な説明】
【技術分野】
【０００１】
本発明は、表示装置、マルチディスプレイシステム、表示装置の映像信号処理方法、及びマルチディスプレイシステムの映像信号処理方法に関する。
【背景技術】
【０００２】
マルチディスプレイシステムでは、複数の表示装置が接続されて、画面が構築される。このようなシステムで各装置を設定する場合、各装置を同時に同じ値に設定するのであれば、各装置に設定値を一斉送信できるので、ＩＤは不要である。しかしながら、個別の装置を設定する場合には、各装置にＩＤを個別に設定した上で、各装置毎に設定値を送る必要がある。マルチディスプレイを構成する各表示装置は、通常、初期値として固有のＩＤを持っていない。このため、システムの構築後に装置毎のＩＤを設定することになる。各装置毎にＩＤを設定する作業は、ＩＤの値が重複しないように各装置毎にＩＤを割り付ける必要があり、システム設置時の負担になっている。
【０００３】
装置毎にＩＤを割り付ける技術としては、特許文献１に、複数の電子機器、例えば表示装置を縦続接続したシステムにおいて、ホストコンピュータ（制御回路）から各電子機器に個別のＩＤ番号を自動的に設定するものが提案されている。また、特許文献２には、片方向通信で電子機器にＩＤを個別に割り当てる方法が提案されている。
【先行技術文献】
【特許文献】
【０００４】
【特許文献１】国際公開第２０１３／０３８５５４号
【特許文献２】特開２０１７−１５８０７１号公報
【発明の概要】
【発明が解決しようとする課題】
【０００５】
しかしながら、特許文献１に記載されているものでは、双方向の通信を行うことが前提になっている。また、特許文献１に記載されているものでは、個々の機器が下流に対して個別に通信を行っている。双方向通信の場合、通信の成立が確認できるため、信頼性の向上が期待できる。しかしながら、双方向通信では、コストが高くなるため、コストの安い表示装置では採用することは難しい。
【０００６】
特許文献２には、片方向通信で、各装置にＩＤを個別に割り当てる方法が開示されている。特許文献２に記載されているものでは、片方向通信であるので、双方向通信に比べて、コストアップにならない。しかしながら、特許文献２では、接続台数の総数を求める方法は開示されていない。接続台数の総数は、複数の表示装置で分割表示する場合などにおいて、分割時の母数を求めるのに必要である。
【０００７】
上述の課題を鑑み、本発明は、低コストで、接続機器の総数を求めることができる表示装置、マルチディスプレイシステム、表示装置の映像信号処理方法、及びマルチディスプレイシステムの映像信号処理方法を提供することを目的とする。
【課題を解決するための手段】
【０００８】
本発明の一態様に係る表示装置は、縦続に接続される複数の表示装置のうちの初段に接続される表示装置であって、入力された第１の映像信号に表示パターンを追加する第１の映像処理部と、前記第１の映像処理部からの映像信号を次段に接続される表示装置に出力する映像出力部と、終段に接続された表示装置から出力される映像信号を第２の映像信号として入力する第２の映像処理部と、前記第２の映像信号中に含まれる表示パターンに基づいて接続された表示装置の台数を求める計数部とを備える。
【０００９】
本発明の一態様に係る表示装置は、縦続に接続される複数の表示装置のうち各表示装置間又は終段に接続される表示装置であって、前段の表示装置からの映像信号を入力し、前記映像信号に表示パターンを追加する映像処理部と、前記映像処理部からの映像信号を次段又は初段に接続される表示装置に出力する映像出力部とを備える。
【００１０】
本発明の一態様に係るマルチディスプレイシステムは、縦続に接続される複数の表示装置からなるマルチディスプレイシステムであって、前記複数の表示装置は、入力された第１の映像信号に表示パターンを追加する第１の映像処理部と、前記第１の映像処理部からの映像信号を次段の表示装置に出力する映像出力部と、終段に接続された表示装置から出力される映像信号を第２の映像信号として入力する第２の映像処理部と、前記第２の映像信号中に含まれる表示パターンに基づいて接続された表示装置の台数を求める計数部とを備えるように構成されており、前記表示装置のうちの初段に接続される表示装置は、入力された第１の映像信号に表示パターンを追加して次段の表示装置に出力するとともに、終段に接続された表示装置から出力される映像信号を第２の映像信号として入力し、前記第２の映像信号中に含まれる表示パターンに基づいて接続された表示装置の台数を求め、前記表示装置のうちの各表示装置間に接続される表示装置は、前段の表示装置からの映像信号を入力し、前記映像信号に表示パターンを追加し、次段の表示装置に出力し、前記表示装置のうちの終段に接続される表示装置は、前段の表示装置からの映像信号を入力し、前記映像信号に表示パターンを追加し、前記初段に接続される表示装置に出力する。
【００１１】
本発明の一態様に係る表示装置の映像信号処理方法は、縦続に接続される複数の表示装置のうちの初段に接続される表示装置の映像信号処理方法であって、第１の映像信号を入力する工程と、前記第１の映像信号に表示パターンを追加し、前記表示パターンを追加した映像信号を次段に接続される表示装置に出力する工程と、終段に接続された表示装置から出力される映像信号を第２の映像信号として入力する工程と、前記第２の映像信号中に含まれる表示パターンに基づいて接続された表示装置の台数を求める工程とを含む。
【００１２】
本発明の一態様に係る表示装置の映像信号処理方法は、縦続に接続される複数の表示装置のうち各表示装置間又は終段に接続される表示装置の映像信号処理方法であって、前段の表示装置からの映像信号を入力する工程と、前記映像信号に表示パターンを追加し、前記表示パターンを追加した映像信号を次段又は初段に接続される表示装置に出力する工程とを含む。
【００１３】
本発明の一態様に係るマルチディスプレイシステムの映像信号処理方法は、縦続に接続される複数の表示装置からなるマルチディスプレイシステムの映像信号処理方法であって、前記表示装置のうちの初段に接続された表示装置が、映像信号を入力し、前記映像信号に表示パターンを追加し、前記表示パターンを追加した映像信号を次段に接続される表示装置に出力する工程と、前記表示装置のうちの表示装置間に接続される表示装置が、前段の表示装置からの映像信号を入力し、前記映像信号に表示パターンを追加し、前記表示パターンを追加した映像信号を次段に接続される表示装置に出力する工程と、前記表示装置のうちの終段に接続された表示装置が、前段の表示装置からの映像信号を入力し、前記映像信号に表示パターンを追加し、前記表示パターンを追加した映像信号を、前記表示装置のうちの初段に接続された表示装置に出力する工程と、前記表示装置のうちの初段に接続された表示装置が、前記終段に接続された表示装置から出力される映像信号を第２の映像信号として入力し、前記第２の映像信号中に含まれる表示パターンに基づいて接続された表示装置の台数を求める工程とを含む。
【発明の効果】
【００１４】
本発明によれば、映像信号に含まれる情報から、マルチディスプレイシステムに接続されている表示装置の総数を求めることができ、双方向通信が不要であるとともに、コストの削減が図れる。
【図面の簡単な説明】
【００１５】
【図１】本発明の第１の実施形態に係る表示装置の概要を示すブロック図である。
【図２】本発明の第１の実施形態に係るマルチディスプレイシステムの構成を示すブロック図である。
【図３】本発明の第１の実施形態に係るマルチディスプレイシステムにおいて接続されている表示装置の総数を判定する場合の処理の具体例を示す図である。
【図４】本発明の第１の実施形態に係るマルチディスプレイシステムにおいて接続されている表示装置の総数を判定する処理を示すフローチャートである。
【図５】本発明による表示装置の第１の基本構成を示す概略ブロック図である。
【図６】本発明による表示装置の第２の基本構成を示す概略ブロック図である。
【発明を実施するための形態】
【００１６】
以下、本発明の実施の形態について図面を参照しながら説明する。図１は、本発明の第１の実施形態に係る表示装置の概要を示すブロック図である。
【００１７】
図１に示すように、本発明の第１の実施形態に係る表示装置１０は、第１の映像処理部１１と、第２の映像処理部１２と、映像出力部１３と、表示部１４と、制御部１５と、保存メモリ１６とを備えている。
【００１８】
第１の映像処理部１１は、第１の映像入力端子ＩＮ１からの第１の映像信号Ｓ１を入力する。第１の映像処理部１１の出力信号は、映像出力部１３に送られるとともに、表示部１４に送られる。第１の映像処理部１１は、第１の映像信号Ｓ１の解析のために、制御部１５と制御信号のやり取りを行う。また、第１の映像処理部１１はＯＳＤ（On Screen Display）機能を有しており、第１の映像信号Ｓ１に対して、表示パターンを付加することができる。
【００１９】
第２の映像処理部１２は、第２の映像入力端子ＩＮ２からの第２の映像信号Ｓ２を入力する。第２の映像処理部１２は、第２の映像信号Ｓ２の解析のために、制御部１５と制御信号のやり取りを行う。
【００２０】
映像出力部１３は、第１の映像処理部１１からの映像信号を出力映像信号Ｓ３として映像出力端子ＯＵＴ１から出力する。表示部１４は、例えば液晶ディスプレイである。表示部１４は、第１の映像処理部１１で処理された映像信号に基づく画像を表示する。
【００２１】
制御部１５は、第１の映像処理部１１と制御信号のやり取りを行い、第１の映像信号Ｓ１の解析を行う。また、制御部１５は、第２の映像処理部１２と制御信号のやり取りを行い、第２の映像信号Ｓ２の解析を行う。後に説明するように、本実施形態では、制御部１５は、第２の映像信号Ｓ２中に含まれる表示パターンに基づいて接続された表示装置の台数を求める計数部となる。
【００２２】
保存メモリ１６は、接続されている表示装置の総数を保存（記憶）する。この接続されている表示装置の総数は、分割表示の分母として用いることができる。
【００２３】
図２は、本発明の第１の実施形態に係るマルチディスプレイシステム１の構成を示すブロック図である。図２に示すように、本発明の第１の実施形態に係るマルチディスプレイシステム１は、映像信号発生装置２０と、複数の表示装置１０−１〜１０−Ｎ（Ｎは任意の整数）とを接続して構成される。前述したように、表示装置１０−１〜１０−Ｎは、第１の映像信号Ｓ１を入力する第１の映像入力端子ＩＮ１と、第２の映像信号Ｓ２を入力する第２の映像入力端子ＩＮ２と、映像信号Ｓ３を出力する映像出力端子ＯＵＴ１を備えている。
【００２４】
なお、表示装置１０−１〜１０−Ｎの数は任意であり、その設置位置についても、任意である。複数の表示装置１０−１〜１０−Ｎを一列に並べてもよいし、二次元配列してもよい。
【００２５】
図２に示すように、マルチディスプレイシステム１を構成する場合、各表示装置１０−１〜１０−Ｎの映像出力端子ＯＵＴ１を次段の表示装置の第１の映像入力端子ＩＮ１に接続し、終段の表示装置１０−Ｎの映像出力端子ＯＵＴ１を初段の表示装置１０−１の第２の映像入力端子ＩＮ２に接続する。
【００２６】
すなわち、映像信号発生装置２０の映像出力端子ＯＵＴは、１台目の表示装置１０−１の第１の映像入力端子ＩＮ１と接続される。表示装置１０−１の映像出力端子ＯＵＴ１は、２台目の表示装置１０−２の第１の映像入力端子ＩＮ１に接続される。表示装置１０−２の映像出力端子ＯＵＴ１は、３台目の表示装置１０−３の第１の映像入力端子ＩＮ１に接続される。以下、（Ｎ−１）台目の表示装置１０−（Ｎ−１）の映像出力端子ＯＵＴ１は、Ｎ台目の表示装置１０−Ｎの第１の映像入力端子ＩＮ１に接続される。Ｎ台目の表示装置１０−Ｎの映像出力端子ＯＵＴ１は、１台目の表示装置１０−１の第２の映像入力端子ＩＮ２に接続される。
【００２７】
各表示装置１０−１〜１０−（Ｎ−１）は、第１の映像入力端子ＩＮ１に第１の映像信号Ｓ１の入力があると、第１の映像信号Ｓ１の一部に表示パターンがあるか否かを判定し、表示パターンがなければ、第１の映像信号Ｓ１の一部に表示パターンを追加し、表示パターンがあればその表示パターンの位置とは別の位置に表示パターンを追加して、次段の表示装置１０−１〜１０−Ｎの第１の映像入力端子ＩＮ１に映像信号Ｓ３を出力する。なお、表示装置１０−Ｎは、映像信号Ｓ３を表示装置１０−１の第２の映像入力端子ＩＮ２に出力する。これにより、映像信号が各表示装置１０−１、１０−２、１０−３、…、１０−Ｎを通過する毎に、映像信号中に表示パターンが追加される。
【００２８】
Ｎ台目の表示装置１０−Ｎからは、接続されている表示装置１０−１〜１０−Ｎの数に対応する数の表示パターンが付加された映像信号Ｓ３が出力される。Ｎ台目の表示装置１０−Ｎは、映像信号Ｓ３を１台目の表示装置１０−１の第２の映像入力端子ＩＮ２に送る。１台目の表示装置１０−１は、第２の映像入力端子ＩＮ２に入力される第２の映像信号Ｓ２中に含まれる表示パターンの数を計数する。これにより、マルチディスプレイシステム１に接続されている表示装置１０−１〜１０−Ｎの総数を求めることができる。
【００２９】
図３は、本発明の第１の実施形態に係るマルチディスプレイシステム１において、接続されている表示装置の総数Ｎを判定する場合の処理の具体例である。ここでは、４台の表示装置１０−１から１０−４により、マルチディスプレイシステム１が構成されているとする。
【００３０】
映像信号発生装置２０は１台目の表示装置１０−１の第１の映像入力端子ＩＮ１に映像信号を送る。なお、映像信号とは、表示情報の映像期間と、同期信号や帰線などを含むブランク期間で構成されている。本実施形態で使用する映像信号は映像期間の信号であり、ブランク期間の信号は使用しないことが好ましい。これは、ブランク期間は、入力される信号により使用可能領域が異なることや、経路によっては、ブランク期間の信号は再加工され、ブランク期間の情報が欠落することがあるためである。
【００３１】
映像信号発生装置２０から１台目の表示装置１０−１の第１の映像入力端子ＩＮ１に第１の映像信号Ｓ１が入力され、１台目の表示装置１０−１の映像出力端子ＯＵＴ１から出力された映像信号Ｓ３が２台目の表示装置１０−１の第１の映像入力端子ＩＮ１に入力される。以下、４台目の表示装置１０−４の映像出力端子ＯＵＴ１から出力された映像信号Ｓ３が１台目の表示装置１０−１の第２の映像入力端子ＩＮ２に第２の映像信号Ｓ２として入力されたところで、表示装置１０−１は、第１の映像入力端子ＩＮ１と第２の映像入力端子ＩＮ２とに映像信号入力があることから、１台目の表示装置であることを判定する。
【００３２】
１台目の表示装置１０−１の第１の映像入力端子ＩＮ１には、映像信号発生装置２０から、画面５１−１で示すように、背景画像Ｇ１を含む映像信号が入力される。１台目の表示装置１０−１は、第１の映像入力端子ＩＮ１に第１の映像信号Ｓ１の入力があることを検出すると、第１の映像信号Ｓ１の一部に表示パターンがあるか否かを判定する。画面５１−１で示すように、映像信号発生装置２０からの映像信号は背景画像Ｇ１のみであり、表示パターンは含まれていない。表示装置１０−１は、表示パターンがなければ、表示パターンＰ１を追加し、映像出力端子ＯＵＴ１から映像信号Ｓ３として出力する。その結果、１台目の表示装置１０−１の映像出力端子ＯＵＴ１からは、画面５１−２に示すように、背景画像Ｇ１と表示パターンＰ１とを含む映像信号が出力される。
【００３３】
２台目の表示装置１０−２は、第１の映像入力端子ＩＮ１から、１台目の表示装置１０−１の出力映像信号を入力する。２台目の表示装置１０−２は、第１の映像入力端子ＩＮ１に１台目の表示装置１０−１からの第１の映像信号Ｓ１の入力があることを検出すると、第１の映像信号Ｓ１の一部に表示パターンがあるか否かを判定する。画面５１−２に示すように、表示装置１０−１からの出力映像信号中には表示パターンＰ１が含まれている。この場合、２台目の表示装置１０−２は、その表示パターンＰ１の位置とは別の位置に、表示パターンＰ２を追加し、映像出力端子ＯＵＴ１から映像信号Ｓ３として出力する。その結果、２台目の表示装置１０−２の映像出力端子ＯＵＴ１からは、画面５１−３に示すように、背景画像Ｇ１と、表示パターンＰ１及びＰ２を含む映像信号が出力される。
【００３４】
３台目の表示装置１０−３は、第１の映像入力端子ＩＮ１から、２台目の表示装置１０−２の出力映像信号を入力する。３台目の表示装置１０−２は、第１の映像入力端子ＩＮ１に２台目の表示装置１０−２からの第１の映像信号Ｓ１の入力があることを検出すると、第１の映像信号Ｓ１の一部に表示パターンがあるか否かを判定する。画面５１−３に示すように、表示装置１０−２からの出力映像信号中には、表示パターンＰ１及びＰ２が含まれている。この場合、３台目の表示装置１０−３は、その表示パターンＰ１及びＰ２の位置とは別の位置に、表示パターンＰ３を追加し、映像出力端子ＯＵＴ１から映像信号Ｓ３として出力する。その結果、３台目の表示装置１０−３の映像出力端子ＯＵＴ１からは、画面５１−４に示すように、背景画像Ｇ１と、表示パターンＰ１、Ｐ２、及びＰ３を含む映像信号が出力される。
【００３５】
４台目の表示装置１０−４は、第１の映像入力端子ＩＮ１から、３台目の表示装置１０−３の出力映像信号を入力する。４台目の表示装置１０−４は、第１の映像入力端子ＩＮ１に、３台目の表示装置１０−３からの第１の映像信号Ｓ１の入力があることを検出すると、第１の映像信号Ｓ１の一部に表示パターンがあるか否かを判定する。画面５１−４に示すように、表示装置１０−３からの出力映像信号中には、表示パターンＰ１、Ｐ２、及びＰ３が含まれている。この場合、４台目の表示装置１０−４は、その表示パターンＰ１、Ｐ２、及びＰ３の位置とは別の位置に、表示パターンＰ４を追加し、映像出力端子ＯＵＴ１から映像信号Ｓ３として出力する。その結果、４台目の表示装置１０−４の映像出力端子ＯＵＴ１からは、画面５１−５に示すように、背景画像Ｇ１と、表示パターンＰ１、Ｐ２、Ｐ３、及びＰ４を含む映像信号が出力される。
【００３６】
１台目の表示装置１０−１は、第２の映像入力端子ＩＮ２から、４台目の表示装置１０−４の出力映像信号を入力する。１台目の表示装置１０−１は、第２の映像信号Ｓ２中の表示パターンの数を計測して、表示装置の総数を求める。画面５１−５に示すように、表示装置１０−４から送られてくる第２の映像信号Ｓ２中には、表示パターンＰ１〜Ｐ４の４個のパターンが付加されている。これにより、表示装置１０−１は、マルチディスプレイシステム１を構成する表示装置１０−１〜１０−Ｎの総数は４台であると判定する。
【００３７】
なお、もし、２台目の表示装置１０−２以降が表示パターンの有無を誤判定して表示パターンを追加したとしても、１台目の表示装置１０−１が表示パターンを付加していなければ、１台目の表示装置１０−１は総数判定を行わないので、無効となる。
【００３８】
図４は、本発明の第１の実施形態に係るマルチディスプレイシステム１において、接続されている表示装置１０（１０−１〜１０−Ｎ）の総数を判定する処理を示すフローチャートである。
【００３９】
（ステップＳＴ１０１）制御部１５は、第１の映像入力端子ＩＮ１から第１の映像処理部１１に第１の映像信号Ｓ１が入力されているか否かを判定する。第１の映像信号Ｓ１が入力されたら（ステップＳＴ１０１：Ｙｅｓ）、処理をステップＳＴ１０２に進める。
【００４０】
（ステップＳＴ１０２）制御部１５は、第１の映像入力端子ＩＮ１からの第１の映像信号Ｓ１中に表示パターンが追加されているか否かを判定する。第１の映像入力端子ＩＮ１からの第１の映像信号Ｓ１中に表示パターンが追加されていなければ（ステップＳＴ１０２：Ｎｏ）、処理をステップＳＴ１０３に進め、表示パターンが追加されていれば（ステップＳＴ１０２：Ｙｅｓ）、処理をステップＳＴ１０４に進める。
【００４１】
（ステップＳＴ１０３）制御部１５は、第１の映像入力端子ＩＮ１からの第１の映像信号Ｓ１中に表示パターンを追加して、処理をステップＳＴ１０５に進める。
【００４２】
（ステップＳＴ１０４）制御部１５は、第１の映像入力端子ＩＮ１からの第１の映像信号Ｓ１中において、追加されているパターンとは別の位置に、表示パターンを追加して、処理をステップＳＴ１０５に進める。
【００４３】
（ステップＳＴ１０５）第１の映像処理部１１はパターンが追加された映像信号を映像出力部１３に送り、映像出力部１３は、パターンが追加された映像信号を映像信号Ｓ３として出力する。
【００４４】
（ステップＳＴ１０６）制御部１５は、第２の映像入力端子ＩＮ２から第２の映像処理部１２に第２の映像信号Ｓ２が入力されているか否かを判定する。第２の映像信号Ｓ２が入力されたら（ステップＳＴ１０６：Ｙｅｓ）、処理をステップＳＴ１０７に進める。第２の映像信号Ｓ２が入力されていなければ（ステップＳＴ１０６：Ｎｏ）、処理を終了する。
【００４５】
（ステップＳＴ１０７）制御部１５は、第２の映像信号Ｓ２中の表示パターンの数を計測する。第２の映像信号Ｓ２中の表示パターンの数から、接続されている表示装置１０（１０−１〜１０−Ｎ）の総数が判定できる。第２の映像信号Ｓ２中の所望の表示パターンの数が計測されたら、処理を終了する。
【００４６】
以上説明したように、本発明の実施形態では、表示装置１０（１０−１〜１０−Ｎ）として、第１の映像信号Ｓ１と第２の映像信号Ｓ２とをそれぞれ独立して解析することができるものが用いられる。このような表示装置１０（１０−１〜１０−Ｎ）を用いてマルチディスプレイシステム１を構成することで、双方向通信を用いずに、マルチディスプレイシステム１に接続されている表示装置１０−１〜１０−Ｎの総数を求めることができる。
【００４７】
なお、上述の各表示装置１０−１〜１０−Ｎで付加する表示パターンとしては、縦横（８×８）画素又は（１６×１６）画素程度の大きさのものが想定される。現在、主に使われる映像信号は、一番低い解像度のもので（６４０×４８０）画素である。したがって、（８×８）画素の表示パターンを用いれば、例えば左上から順に、水平方向に８０個、表示パターンを並べることができる。（１６×１６）画素の表示パターンを用いれば、水平方向に４０個、表示パターンを並べることができる。数十台の表示装置からなるマルチディスプレイシステムである場合、横一列に表示パターンを並べるだけで十分に総数を表現できる。さらに表示装置の総数が増える場合には、表示パターンを横一列に並べたら、その下の列から同様に、左から順に、表示パターンを並べればよい。
【００４８】
また、各表示装置１０−１〜１０−Ｎで付加する表示パターンは、全ての表示装置１０−１〜１０−Ｎで同一のものであってもよいし、各表示装置１０−１〜１０−Ｎ毎に異なるものであってもよい。各表示装置１０−１〜１０−Ｎで付加する表示パターンが同一であれば、所定パターンとのマッチングにより映像信号中から表示パターンの有無を検出できる。各表示装置１０−１〜１０−Ｎで付加する表示パターンが異なっていても、付加する表示パターンの大きさや位置等の表示パターンを特定することが可能な条件を決めておくことで、この条件に基づいて表示パターンの有無を判定することが可能である。また、各表示装置１０−１〜１０−Ｎ毎に付加する表示パターンが異なっていると、各表示パターンにそれぞれの表示装置１０−１〜１０−Ｎについての情報を含めて、１台目の表示装置１０−１に伝達することができる。
【００４９】
また、表示パターンは、背景となる映像と区別しやすいことが望ましい。また、表示パターンとしては、隣り合う画素が違う色であってかつ階調差が大きい方が、背景画像となる入力映像信号と区別しやすく、望ましい。
【００５０】
また、上述の実施形態では、映像信号のうち、ブランク期間の信号は使用せず、映像期間の信号のみ用いている。これにより、ブランク期間の信号が再加工されたり、ブランク期間の情報が欠落されていても、総数の判定結果に支障を及ぼさない。また、映像期間の信号のみ用いるため、第１の映像処理部１１、第２の映像処理部１２として汎用製品を用いることができ、コストダウンを図ることができる。
【００５１】
図５は、本発明による表示装置の第１の基本構成を示す概略ブロック図である。本発明による表示装置１００は、縦続に接続される複数の表示装置のうちの初段に接続される表示装置であって、第１の映像処理部１０１と、映像出力部１０２と、第２の映像処理部１０３と、計数部１０４とを備える。第１の映像処理部１０１は、入力された第１の映像信号に表示パターンを追加する。映像出力部１０２は、第１の映像処理部１０１からの映像信号を次段に接続される表示装置に出力する。第２の映像処理部１０３は、終段に接続された表示装置から出力される映像信号を第２の映像信号として入力する。計数部１０４は、第２の映像信号中に含まれる表示パターンに基づいて接続された表示装置の台数を求める。
【００５２】
図６は、本発明による表示装置の第２の基本構成を示す概略ブロック図である。本発明による表示装置２００は、縦続に接続される複数の表示装置のうち各表示装置間又は終段に接続される表示装置であって、映像処理部２０１と映像出力部２０２とを備える。映像処理部２０１は、前段の表示装置からの映像信号を入力し、映像信号に表示パターンを追加する。映像出力部２０２は、映像処理部２０１からの映像信号を次段又は初段に接続される表示装置に出力する。
【００５３】
上述した実施形態におけるマルチディスプレイシステム１の全部または一部をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＦＰＧＡ等のプログラマブルロジックデバイスを用いて実現されるものであってもよい。
【００５４】
以上、この発明の実施形態について図面を参照して詳述してきたが、具体的な構成はこの実施形態に限られるものではなく、この発明の要旨を逸脱しない範囲の設計等も含まれる。
【符号の説明】
【００５５】
１０、１０−１、１０−２、…表示装置、１１…第１の映像処理部、 １２…第２の映像処理部、１３…映像出力部、１４…表示部、１５…制御部、２０…映像信号発生装置
【図１】
2020079913.tif 000003
【図２】
2020079913.tif 000004
【図３】
2020079913.tif 000005
【図４】
2020079913.tif 000006
【図５】
2020079913.tif 000007
【図６】
2020079913.tif 000008